(57)【要約】【課題】ズレ落ちにくく、且つ胴回りの締め付けの程度が大きく低減された使い捨て吸収性物品を提供すること。【解決手段】腹側部Ａ及び背側部Ｂの両ウエスト部Ｄにウエスト弾性部材５１が配設されており、両ウエスト部Ｄを吸収性物品幅方向に最大伸張率の５０％迄伸張させたときの引張荷重が２〜５Ｎであり、腹側部Ａの胴回り部Ｅにおける吸収体４の両側縁４１の位置より幅方向外方の両サイド部に縦方向に対して４５度背側に傾いた方向に伸縮可能な弾性伸縮部３１を有し、腹側部Ａ及び背側部Ｂの両胴回り部Ｅを最大伸張率の５０％迄伸張させたときの引張荷重が１Ｎ以下であり、背側部Ｂにおける吸収体４とウエスト開口部の周縁端５２との間に縦方向に伸縮する弾性伸縮部３４を有するパンツ型の使い捨て吸収性物品。【選択図】    図２
2004236832.tif 000002
【特許請求の範囲】
【請求項１】
液透過性の表面シート、液不透過性の裏面シート及び両シート間に介在する液保持性の吸収体を備え、ウエスト開口部及び一対のレッグ開口部を有するパンツ型の使い捨て吸収性物品において、
腹側部及び背側部のウエスト部に、前記ウエスト開口部の周方向に沿ってウエスト弾性部材が配設されており、両ウエスト部を、吸収性物品幅方向に最大伸張率の５０％迄伸張させたときの引張荷重が２〜５Ｎであり、
腹側部の胴回り部における前記吸収体の両側縁の位置より幅方向外方に位置する両サイド部に、吸収性物品縦方向に対して４５度背側に傾いた方向に伸縮可能な弾性伸縮部を有し、腹側部及び背側部の両胴回り部を、吸収性物品幅方向に最大伸張率の５０％迄伸張させたときの引張荷重が１Ｎ以下であり、
背側部における前記吸収体と前記ウエスト開口部の周縁端との間に、吸収性物品縦方向に伸縮する弾性伸縮部を有する使い捨て吸収性物品。
【請求項２】
自然状態における前記ウエスト開口部の周長に対する最大伸張時の該ウエスト開口部の周長の比が１．４〜２．２である請求項１記載の使い捨て吸収性物品
【請求項３】
前記ウエスト弾性部材は、着用時に着用者の腸骨棘点よりも上方に位置するように配されている請求項１又は２記載の使い捨て吸収性物品。
【請求項４】
前記背側部における前記ウエスト開口部の周縁端が、凸状に形成されている請求項１〜３の何れか記載の使い捨て吸収性物品。
【請求項５】
前記背側部における前記レッグ開口部の近傍に、該背側部における該レッグ開口部の周縁端に対して垂直方向に伸縮可能な弾性伸縮部を有している請求項１〜４の何れか記載の使い捨て吸収性物品。
【請求項６】
前記背側部における前記レッグ開口部の周縁端が、該レッグ開口部の開口部中心に向かって凸に湾曲している請求項５記載の使い捨て吸収性物品。
【請求項７】
幼児用の使い捨て吸収性物品であり、展開且つ伸張状態において、吸収性物品長手方向の全長が４０〜６０ｃｍであり、股間部の最小幅が５〜１０ｃｍである請求項１〜６の何れか記載の使い捨て吸収性物品。
【発明の詳細な説明】
【０００１】
【発明の属する技術分野】
本発明は、新規な設計手法に基づく使い捨て吸収性物品に関する。
【０００２】
【従来の技術及び発明が解決しようとする課題】
従来の使い捨て吸収性物品の設計においては、吸収性物品の平面形状（パンツ型吸収性物品においては展開且つ伸張状態の形状）を、着用者にはかせるために充分に大きな大きさを見越して決定した後、着用者の各部（脚回りやウエスト回り等）に対するフィット性を高めるように、弾性部材の配置を決定するというものであった。
【０００３】
従来の使い捨て吸収性物品として、着用時に着用者の胴回りに配される胴回り部に、複数の弾性部材を周方向に配設して胴回りギャザーを形成したパンツ型おむつが知られている（特許文献１参照）。
この使い捨ておむつは、上述したような設計手法に基づき設計されたものであり、胴回り部に配した弾性部材により、着用者の胴回りとの間に隙間が生じることが防止され、また、着用中における、おむつのズレ落ちが防止されるが、他方において、着用者の胴回りを強く締め付け過ぎる場合が起こり易いという問題がある。
また、上述した設計手法に基づき設計された従来のおむつおいては、おむつの平面形状が、着用者にはかせるために充分に大きな大きさを見越して設計されているため、本来的に必要な量を大きく超える量の材料を使用せざるを得なかったり、余分な材料により股下部にもたつき（たるんだ部分）が生じたり、更には、余分な材料や、弾性部材による脚回りの過度の締め付け等により、はかせやすさ（装着のし易さ）が充分ではない等の改善すべき点がある。
【０００４】
【特許文献１】
特開２００１―４７８号公報
【０００５】
従って、本発明の目的は、ズレ落ちにくく、且つ胴回りの締め付けの程度が大きく低減された使い捨て吸収性物品を提供することにある（以下、第１目的というときは、この目的をいう）。
本発明の目的は、新規な設計手法を用いて設計された使い捨て吸収性物品を提供することにある。
本発明の目的は、材料使用量の低減、股下部のもたつきの改善、はきやすさの改善、ズレ落ちにくさと胴回りの過度の締め付けの解消の両立等の１つ又は２以上を達成した使い捨て吸収性物品を提供することにある。
【０００６】
【課題を解決するための手段】
本発明者らは、上述した従来の設計手法とは異なる新規な設計手法を編み出し、かかる設計手法に基づき設計した使い捨て吸収性物品が、上述した目的の１つ又はそれ以上を達成し得ることを知見した。本発明は、斯かる知見に基づき完成されたものである。
【０００７】
本発明は、液透過性の表面シート、液不透過性の裏面シート及び両シート間に介在する液保持性の吸収体を備え、ウエスト開口部及び一対のレッグ開口部を有するパンツ型の使い捨て吸収性物品において、腹側部及び背側部のウエスト部に、前記ウエスト開口部の周方向に沿ってウエスト弾性部材が配設されており、両ウエスト部を、吸収性物品幅方向に最大伸張率の５０％迄伸張させたときの引張荷重が２〜５Ｎであり、腹側部の胴回り部における前記吸収体の両側縁の位置より幅方向外方に位置する両サイド部に、吸収性物品縦方向に対して４５度背側に傾いた方向に伸縮可能な弾性伸縮部を有し、腹側部及び背側部の両胴回り部を、吸収性物品幅方向に最大伸張率の５０％迄伸張させたときの引張荷重が１Ｎ以下であり、背側部における前記吸収体と前記ウエスト開口部の周縁端との間に、吸収性物品縦方向に伸縮する弾性伸縮部を有する使い捨て吸収性物品を提供することにより、第１目的を達成したものである。
【０００８】
また、本発明は、パンツ型の使い捨て吸収性物品であって、下記要件（ａ）〜（ｅ）及び後述する各形態の使い捨て吸収性物品が具備する各要件〔下記要件（ａ）〜（ｅ）と重複するものもある。〕の何れか１つ又は２以上を具備する使い捨て吸収性物品を提供することにより、上述した目的の１つ又は２以上を達成したものである。
２以上の要件の組み合わせとしては、下記要件（ａ）〜（ｅ）  の何れか一つと他の一つとの組み合わせ〔以下、組み合わせ（１）という。例えば（ａ）＋（ｂ）、（ａ）＋（ｃ）、（ａ）＋（ｄ）、（ａ）＋（ｅ）、  （ｂ）＋（ｃ）、（ｂ）  ＋（ｄ）、（ｂ）＋（ｅ）、（ｃ）＋（ｄ）、（ｃ）＋（ｅ）、（ｄ）＋（ｅ）等〕、前記組み合わせ（１）と更に他の一つの要件との組み合わせ〔以下、組み合わせ（２）という〕、前記組み合わせ（２）と更に他の一つの要件との組み合わせ〔以下、組み合わせ（３）という〕、及び前記組み合わせ（３）と更に他の一つの要件との組み合わせ等を挙げることができる。
【０００９】
＜要件＞
（ａ）；腹側部及び背側部のウエスト部に、前記ウエスト開口部の周方向に沿ってウエスト弾性部材が配設されており、両ウエスト部を、吸収性物品幅方向に最大伸張率の５０％迄伸張させたときの引張荷重が２〜５Ｎである。
（ｂ）；腹側部の胴回り部における吸収体の両側縁の位置より幅方向外方に位置する両サイド部に、吸収性物品縦方向に対して４５度背側に傾いた方向に伸縮可能な弾性伸縮部を有する。腹側部及び背側部の両胴回り部を、おむつ幅方向に最大伸張率の５０％迄伸張させたときの引張荷重が１Ｎ以下であることが好ましい。
（ｃ）；  背側部における吸収体とウエスト開口部の周縁端（展開型の使い捨て吸収性物品においては長手方向の縁端）との間に、吸収性物品縦方向に伸縮する弾性伸縮部を有する。この場合、背側部における前記ウエスト開口部の周縁端が、凸状に形成されていることが好ましい。
（ｄ）；  ウエスト弾性部材は、吸収性物品着用時に着用者の腸骨棘点よりも上方に位置するように配されている。
（ｅ）；背側部におけるレッグ開口部の近傍に、該背側部における該レッグ開口部の周縁端に対して垂直方向に伸縮可能な弾性伸縮部を有している。この場合、前記背側部における前記レッグ開口部の周縁端が、該レッグ開口部の開口部中心に向かって凸に湾曲していることが好ましい。
【００１０】
また、本発明は、背側部の両側縁部にファスニングテープを具備する展開型の使い捨て吸収性物品であって、上記要件（ｂ）〜（ｅ）  及び後述する各形態の使い捨て吸収性物品が具備する各要件〔下記要件（ｂ）〜（ｅ）と重複するものもある。〕の何れか１つ又は２以上を具備する使い捨て吸収性物品を提供するものである。
２以上の要件の組み合わせとしては、上記要件（ｂ）〜（ｅ）の何れか一つと他の一つとの組み合わせ〔以下、組み合わせ（５）という。例えば（ｂ）＋（ｃ）、（ｂ）  ＋（ｄ）、（ｂ）＋（ｅ）、（ｃ）＋（ｄ）、（ｃ）＋（ｅ）、（ｄ）＋（ｅ）等〕、前記組み合わせ（５）と更に他の一つの要件との組み合わせ〔以下、組み合わせ（６）という〕、及び前記組み合わせ（６）と更に他の一つの要件との組み合わせ等を挙げることができる。
【００１１】
【発明の実施の形態】
以下、本発明をその好ましい実施形態に基づいて説明する。
【００１２】
先ず、本発明完成の基礎となった新規な設計手法について一例を示して簡単に説明する。
第１ステップ；シーチング（吸収性物品の平面形状に比べて充分な寸法を有する布）を、モニター（幼児等）の身体に直接当て、立体裁断により、モニターのウエスト回り、大腿部の付根に沿った大腿付根回り（図６における大腿付根囲）及び脇の各ラインを書き込み、得られたパターンを平面形状設計のベースパターンとする。このベースパターンをＣＡＤに取りこみ、その後の修正処理を行う。図５（ａ）は、このようにして身体形状を転写して得たベースパターンを示すもので、図中の縦線分Ｌａは、モニターの臍点から第１腰椎までの距離〔図６参照〕を示し、該縦線分に直交する横線分Ｌｂは、左右の大腿付根回りのライン間の距離が最小となる前後方向の位置（モニターの股間幅が最小となる前後方向の位置に相当）及びその最小距離を示している。また、曲線Ｌｃは、前記大腿付根回りのラインを示し、曲線Ｌｄは、臍点及び第１腰椎を通るウエスト回りのラインを示し、曲線Ｌｅは、モニターの脇のライン（モニターの左右側部の稜線）を示している。このようにして、複数のモニターについてのベースパターンを得る。
【００１３】
第２ステップ；各ベースパターンに対し、左右の不均一是正のために、一定の規則に従った修正を加える。例えば、縦線分Ｌａ及び横線分Ｌｂの長さ及び位置関係、並びに縦線分Ｌａの左右両側に存する曲線Ｌｃのうちの信頼性の高い方の形状や長さは修正せず、左右の曲線Ｌｃのうちの信頼性の低い方を、信頼性の高い方を縦線分Ｌａに対して線対称に複写した曲線Ｌｃ’に置換し、曲線Ｌｅについては、ベースパターンの長手方向の各端部において、左右のいずれか長い方の形状及び長さを、短い方の形状及び長さに統一する。曲線Ｌｄについては、ベースパターンの前後左右の部分に分割し、それらを平均化した形状に統一する。図５（ｂ）は、このようにして修正を加えた修正ベースパターンを示す。
【００１４】
第３ステップ；修正ベースパターンを、モニターの年齢（月例）や男女の別等により複数の群に区分し、各区分毎に平均化を行いマスターパターンを得る。全修正ベースパターンを纏めて平均化し、これをマスターパターンとすることもできる。
【００１５】
第４ステップ；モニターを自由に行動させ、その行動の様子をビデオ等に記録して観察する。モニターが頻繁に行う動作及びそれらの動作において着用者の肌がどのように伸縮するかを判断する。幼児の行動を観察及び分析した結果、パンツ型吸収性物品（特にパンツ型おむつ）を使用する月例の幼児は、匍匐動作、及び、立位から座位又はその逆の動作、座位状態で前かがみになる動作、走り回る動作を頻繁に行い、匍匐動作においては背中面や大腿付根部分、立位から座位又はその逆の動作においては背中面に加えて腹側における胴回り部分、座位状態で前かがみになる動作においては背中面、走り回る動作においては大腿付根部分の皮膚が頻繁に伸縮することが判った。
【００１６】
第５ステップ；第３ステップで得られた各マスターパターン（又は単一のマスターパターン）に対し、第４ステップにおいて得られた皮膚の伸縮の知見を反映させた修正を加える。この修正は、皮膚の伸縮に追従して伸縮できるだけの領域を確保するために行う。図５（ｃ）は、着用者の背中面の皮膚の伸縮及び大腿付根部分の皮膚の伸縮に追従して伸縮する領域を使い捨て吸収性物品に確保するために、マスターパターンに格子模様を付した領域を加えて得られた修正マスターパターンを示すものである。腹側における胴回り部分の皮膚の伸縮に追従する領域については、次のステップで付与するはかせやすさ付与のための領域に含まれるので、ここでは省略する。
【００１７】
第６ステップ；修正マスターパターンに対し、はかせやすさ（装着しやすさ）を付与するための修正を加える。図５（ｄ）は、修正マスターパターンを幅方向に所定の倍率で拡大して得たパターンを示す図である。この修正により得られたパターンがおむつの平面形状となる最終パターンである。
【００１８】
第７ステップ；最終パターンに対して、どのように弾性部材を配置するかを、第４ステップにおいて得られた皮膚の伸縮を考慮して決定する。この弾性部材の配置においては、皮膚の伸縮に追従して弾性伸縮し得る領域が形成されるように弾性部材を配置すると共に、漏れ防止等の従来からの観点に基づき弾性部材を配置する。そして、必要な部材の配置等を決定することにより、使い捨て吸収性物品の設計が完了する。
【００１９】
次に、上述した設計手法に基づき設計された使い捨て吸収性物品の一例について説明する。尚、本発明の使い捨て吸収性物品は、上述した設計手法により設計されたものに制限されない。
図１〜３に示すパンツ型の使い捨ておむつ１は、本発明（特に第１発明）の使い捨て吸収性物品の一実施形態であり、液透過性の表面シート２、液不透過性の裏面シート３及び液保持性の吸収体４を備え、着用時に着用者の腹側に配される腹側部Ａ及び背側に配される背側部Ｂを有し、腹側部Ａの両側縁部Ａ１，Ａ１と背側部Ｂの両側縁部Ｂ１，Ｂ１とがヒートシール、高周波シール、超音波シール等の公知の接合手段により接合されて、ウエスト開口部５及び一対のレッグ開口部６（一方のみ図示）が形成されている。
【００２０】
本使い捨ておむつ１は、幼児用のパンツ型おむつであり、吸収体４を具備する吸収性本体１０と、該吸収性本体１０の外面（着用者とは反対側に向けられる面）側に位置して該吸収性本体１０を固定している外装体２０とからなる。吸収体４は、表面シート２と裏面シート３との間に挟持固定されている。吸収性本体１０及び吸収体４は、縦長矩形状をなし、吸収性本体１０は、その長手方向を、展開且つ伸張状態（図２に示す状態）におけるおむつ長手方向（図２の上下方向、以下、おむつ長手方向ともいう）に一致させ、外装体２０の中央部に公知の接合手段により接合されている。ここで、展開且つ伸張状態とは、おむつ側部の接合部２３を引き剥がして展開し、展開した状態のおむつを、各部の弾性部材を伸張させて、設計寸法（弾性部材の影響を一切排除した状態で平面状に広げたときの寸法と同じ）となるように平面状に広げた状態をいう。
【００２１】
吸収性本体１０の長手方向の両側部には、弾性部材７１を有するシート材７２が配されて一対の立体ガード７が形成されている。各立体ガード７は、吸収性本体１０の長手方向の両端部においては、表面シート２上に固定されており〔図３（ｂ）参照〕、長手方向の中央部においては、少なくともおむつ着用時には起立状態となる〔図３（ａ）参照〕。おむつ着用時における吸収性本体１０は、おむつ長手方向の中央部において、その両側縁端から所定幅の内側の線で屈曲し、その線より外方の両側縁部が上方に立ち上がるようになされている。
【００２２】
外装体２０は、図３に示すように、おむつの外表面（着用者とは反対側に向けられる面）を形成する外層シート２１と、該外層シート２１に隣接してその内側に位置する内層シート２２とを具備し、これら両シート間に、ホットメルト型接着剤等を用いて、後述する各種の弾性部材５１、６１、３１、３４、３７、３９が固定されている。外装体２０は、図４に示すように、長手方向中央部が幅狭に括れた略砂時計状に形成されている。これにより、レッグ部の必要長を長く設定でき、且つ吸収性物品の長手方向長を短く設定できる。
【００２３】
本使い捨ておむつ１は、腹側部Ａ及び背側部Ｂそれぞれのウエスト部Ｄに、ウエスト開口部５の周方向に沿ってウエスト弾性部材５１が配設されている。前記ウエスト弾性部材５１は糸状の形態を有しており、腹側部Ａ及び背側部Ｂそれぞれに、複数本（図示例では６本）が互いに平行に配されている。
【００２４】
ここで、ウエスト部Ｄとは、腹側部Ａ及び背側部Ｂそれぞれにおける、レッグ開口部６の上端縁６２の位置（左右の上端縁６２を通るラインの位置）からウエスト開口部の周縁端５２までを、おむつサイド部分におけるおむつ長手方向の長さを３等分するように３つの領域に区分したときの最もウエスト開口部寄りに位置する領域である（図２参照）。また、後述する胴回り部Ｅは、腹側部Ａ及び背側部Ｂそれぞれにおいて、レッグ開口部６の上端縁６２の位置からウエスト開口部５の周縁端５２までを、両者間のおむつ長手方向の長さを３等分するように３つの領域に区分したときのレッグ開口部６寄りの２領域からなる。図２中、符号ａで示す６つの長さは同一である。
【００２５】
前記ウエスト弾性部材５１は、その全体（本実施形態のように複数本配されている場合はその全本数）が、ウエスト開口部５の周端縁５２からの距離がおむつ長手方向全長の１／３０〜１／１５の長さとなるまでの領域内に配されていることが、着用時における腸骨棘点の位置との関係でずれ落ち防止効果が向上し、かつ過度の締め付け感を抑制できるので好ましい。
【００２６】
本使い捨ておむつ１における腹側部Ａ及び背側部Ｂの両ウエスト部Ｄ，Ｄは、両ウエスト部を、おむつ幅方向に最大伸張率の５０％迄伸張させたときの引張荷重が２〜５Ｎであり、特に３〜４Ｎであることが好ましい。最大伸張率の５０％迄伸張させたときの引張荷重は、以下のようにして測定される。
【００２７】
〔両ウエスト部の引張荷重の測定方法〕
おむつから両ウエスト部を、両者が連結されたリング状の状態のまま切り取り、これをサンプルとする。このサンプルを、水平な面上に、両ウエスト部の何れか一方のウエスト部の外面が、該水平な面に当接するように載置し、自然に収縮した状態における該サンプルの両端部間（左右のサイド接合部２３同士間）の長さを測定して初期長とする。
そして、そのサンプルを、テンシロン引っ張り試験機〔（株）オリエンテック社製、「ＲＴＣ−１１５０Ａ」〕のチャック間に固定し、速度３００ｍｍ／ｍｉｎで、おむつ幅方向と同じ方向に伸張させる。
そして、サンプルを、初期長から、図２に示す設計寸法（弾性部材の影響を一切排除した状態で平面状に広げたときの寸法と同じ、但し、腹側部Ａと背側部Ｂとでウエスト部の設計寸法が異なる場合にはその平均値）まで伸張させたときの伸張率〔（伸張後の長さ−初期長）／初期長  ×１００〕を最大伸張率とし、その最大伸張率の５０％の伸張率まで伸張させたときの引張荷重を求める。
【００２８】
本使い捨ておむつ１は、腹側部Ａの胴回り部Ｅにおける吸収体４の両側縁４１，４１の位置（吸収性本体の両側縁の位置と実質同一）より幅方向外方に位置する両サイド部に、おむつ縦方向に対して４５度背側に傾いた方向に伸縮可能な胴回り弾性伸縮部３０，３０を有している。おむつ縦方向に対して４５度背側に傾いた方向を、図４（ａ）中に矢印Ｐで示した。
具体的には、胴回り弾性伸縮部３０は、図２に示すように、複数本の糸状の胴回り弾性部材３１をおむつ長手方向に対して傾斜した状態に配置して形成されている。各胴回り弾性部材３１は、おむつ幅方向の中央側から幅方向の左右の外方に向かうに従ってウエスト開口部５に近づくように傾斜しており、おむつ長手方向に対する傾斜角度θ１（図２参照）は例えば１５〜８５度とすることができる。本実施形態においては、腹側部Ａに配されたウエスト弾性部材５１が、おむつを図２に示すように幅方向設計寸法まで伸長した状態で、おむつ長手方向に対して略９０度の角度をなすよう配されており、胴回り弾性部材３１はウエスト弾性部材５１に対して５〜７５度の傾斜角度となっている。
【００２９】
複数本の胴回り弾性部材３１を配設して胴回り弾性伸縮部３０を形成する場合における胴回り弾性部材３１の本数は、例えば１０〜３０本程度とすることができ、それらに直交する方向のピッチは、例えば３〜１０ｍｍ程度とすることができる。
尚、本実施形態においては、胴回り弾性伸縮部３０を形成する胴回り弾性部材３１が、吸収体４と重なる部位を挟んで左右に分割配置されているが、左右の胴回り部弾性部材が、吸収体４と重なる部位を横断して連続していても良い。
【００３０】
腹側部の胴回りの両サイド部は胴回り弾性伸縮部３０を有し、腹側部及び背側部の両胴回り部を、おむつ幅方向に最大伸張率の５０％迄伸張させたときの引張荷重が１Ｎ以下である。
両胴回り部の前記引張荷重は、以下のようにして測定される。
〔両胴回り部の引張荷重の測定方法〕
おむつから両胴回り部を、両者が連結されたリング状の状態のまま切り取り、これをサンプルとする。このサンプルを、水平な面上に、両ウエスト部の何れか一方の胴回り部の外面が、該水平な面に当接するように載置し、自然に収縮した状態における該サンプルの両端部間（左右のサイド接合部２３同士間）の長さを測定して初期長とする。
そして、そのサンプルを、テンシロン引っ張り試験機〔（株）オリエンテック社製、「ＲＴＣ−１１５０Ａ」〕のチャック間に固定し、速度３００ｍｍ／ｍｉｎで、おむつ幅方向と同じ方向に伸張させる。
そして、サンプルを、初期長から、図２に示す設計寸法（弾性部材の影響を一切排除した状態で平面状に広げたときの寸法と同じ。但し、腹側部Ａと背側部Ｂとで胴回り部の設計寸法が異なる場合にはその平均値）まで伸張させたときの伸張率〔（伸張後の長さ−初期長）／初期長  ×１００〕を最大伸張率とし、その最大伸張率の５０％の伸張率まで伸張させたときの引張荷重を読み取る。
【００３１】
本使い捨ておむつ１は、背側部Ｂにおける吸収体４とウエスト開口部５の周縁端５２との間に、おむつ縦方向に伸縮する背部弾性伸縮部３３を有している。
背部弾性伸縮部３３は、図２に示すように、複数本の糸状の背部弾性部材３４を、おむつ長手方向（おむつ縦方向と同じ）に配置して形成されている。
複数本の弾性部材３４を配設して背部弾性伸縮部３３を形成する場合の背部弾性部材３４の本数は、例えば１〜１０本程度とすることができ、２本以上配する場合、それらに直交する方向のピッチは、例えば２〜３０ｍｍ程度とすることができる。
背部弾性伸縮部３３は、おむつ幅方向中央部を含む、おむつ幅方向の２ｃｍ以上の長さにわたっていることが好ましく、また、少なくとも吸収体４の長手方向の端部とウエスト弾性部材５１のうちの最も吸収体寄りのものとの間に形成されていることが好ましい。
【００３２】
本実施形態の使い捨ておむつ１は、上述した構成、特に各々特定方向の伸張に対して特定の引張荷重を示す胴回り弾性伸縮部３０及び／又は背部弾性伸縮部３３を具備する構成を有するため、着用中におけるおむつのズレ落ちを防止しつつ、胴回りを締め付ける程度を従来の使い捨ておむつに対して極めて小さくすることができる。
胴回りを強く締め付けなくてもズレ落ちを防止できる理由は、主として、胴回り弾性伸縮部３０及び／又は背部弾性伸縮部３３が、着用者の対応部位の皮膚の伸縮に対応して柔軟に伸縮することによって、着用者の皮膚の伸縮を対応できないことによるズレ落ちを防止できることにある。
本実施形態と同様の構成の試作品を作製し、着用時における腹側部Ａの胴回り部Ｅと着用者の肌との間に圧力センサーを挿入して、肌に対する押圧力を測定したところ２ｇ／ｃｍ２以下であり、従来の胴回りギャザー付きパンツ型おむつ（７ｇ／ｃｍ２以上）に比して締め付けの程度が極端に小さいことが確認された。
【００３３】
本実施形態の使い捨ておむつ１は、更に以下の各要件を具備している。
自然状態におけるウエスト開口部５の周長に対する最大伸張時の該ウエスト開口部５の周長の比が１．４〜２．２である（より好ましくは１．６〜２．０）。
腹側部Ａ及び背側部Ｂにおけるウエスト弾性部材５１が、おむつ着用時に着用者の腸骨棘点（直立した状態の着用者の腸骨棘点の高さ位置）よりも上方に位置するように配されている。
【００３４】
背側部Ｂにおけるウエスト開口部の周縁端５２が、おむつの展開且つ伸張状態において凸状に形成されている。この構成により、充分な面積の背部弾性伸縮部３３を容易に形成することができる。
【００３５】
背側部Ｂにおけるレッグ開口部６の近傍に、背側部Ｂにおける該レッグ開口部６の周縁端６３に対して垂直方向に伸縮可能な臀部弾性伸縮部３６を有している。具体的には、臀部弾性伸縮部３６は、複数本の糸状の弾性部材３７を、おむつ長手方向に対して傾斜配置して形成されている。おむつ展開且つ伸張状態における各弾性部材３７のおむつ長手方向に対する傾斜角度θ２は、例えば２０〜７０度である。臀部弾性伸縮部３６は、脚の動きに伴う皮膚の伸縮に追従して柔軟に伸縮するため、該部位のずり上がりによる臀部露出等を防止することができる。
【００３６】
各レッグ開口部６の開口周縁部に、その周方向に沿ってレッグ部弾性部材６１が配されている。
また、背側部Ｂの胴回り部Ｅにおける吸収体４の両側縁４１，４１の位置より幅方向外方の部位に、おむつ幅方向に収縮する弾性伸縮部が形成されている。この弾性伸縮部を形成する胴回り弾性部材３９は、吸収体４と重なる部位を挟んで左右に分割配置されているが、左右の胴回り弾性部材３９が、吸収体４と重なる部位を横断して連続していても良い。
【００３７】
背側部Ｂにおけるレッグ開口部６の周縁端６３が、図２に示すように、該レッグ開口部６の開口部中心に向かって凸に湾曲している。この構成により充分な面積の臀部弾性伸縮部３６を容易に形成することができる。
【００３８】
展開且つ伸張状態において、おむつ長手方向の全長が４０〜６０ｃｍであり、股間部の最小幅Ｗ（図２参照）が５〜１０ｃｍである。
本実施形態の使い捨ておむつ１は、上述した新規な設計手法により設計されており、前記全長及び／又は前記最小幅が、同一体重の着用者を対象とする従来のパンツ型おむつに比べて短くなっている。そのため、はかせやすさやズレ落ちにくさ等を犠牲にすることなく、材料使用量の低減、股下部のもたつきを改善することができる。
対象とする着用者の体重が７〜１０ｋｇの場合、前記全長は４０〜４６ｃｍ、前記股間部の最小幅Ｗは５〜８ｃｍであることが好ましく、対象とする着用者の体重が１０〜１４ｋｇの場合、前記全長は４３〜５０ｃｍ、前記股間部の最小幅Ｗは７〜１０ｃｍであることが好ましい。
【００３９】
上記実施形態の使い捨ておむつ１における各部の形成材料について説明する。各部の弾性部材５１、６１、３１、３４、３７、３９の形成材料としては、使い捨ておむつ等に用いられる各種公知の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ウレタン等の伸縮性の素材を広く用いることができ、例えば形態としては、断面が矩形、正方形、円形、多角形状、マルチフィラメントタイプの糸状のもの等を用いられる。
【００４０】
その他の部材、例えば表面シート２、裏面シート３、吸収体４、立体ガード７、外層シート２２及び内層シート２３等の形成材料としては、従来の使い捨ておむつ等において用いられている各種の材料を用いることができる。
【００４１】
以上、本発明の好ましい実施形態について説明したが、本発明は、上述した実施形態に制限されない。
上述した実施形態の使い捨ておむつ１の胴回り弾性伸縮部３０、背部弾性伸縮部３３及び臀部弾性伸縮部３６は、それぞれ複数本の胴回り部弾性部材を用いて形成するのに代えて、全方位に伸縮可能な弾性シート（弾性フィルムやフィルムと不織布を一体化させたシート等）を用いて形成することができる。
また、本発明の使い捨て吸収性物品は、上述した設計手法を反映させた各種の変形を加えたものとすることができる。
【００４２】
本発明の使い捨て吸収性物品は、パンツ型おむつ以外の他のパンツ型吸収性物品、例えばショーツ型生理用ナプキンや、展開型の使い捨ておむつ等であっても良い。上述した使い捨ておむつ１の各要件を具備する、パンツ型おむつ以外の他のパンツ型吸収性物品（ショーツ型生理用ナプキン等）は、本発明の他の好ましい実施形態である。
【００４３】
【発明の効果】
本発明によれば、ズレ落ちにくく、且つ胴回りの締め付けの程度が大きく低減された、使い捨ておむつ等の使い捨て吸収性物品を提供することができる。
本発明によれば、新規な設計手法を用いて設計された、使い捨ておむつ等の使い捨て吸収性物品を提供することができる。
本発明によれば、材料使用量の低減、股下部のもたつきの改善、はきやすさの改善、ズレ落ちにくさと胴回りの過度の締め付けの解消の両立等の１つ又は２以上を達成した、使い捨ておむつ等の使い捨て吸収性物品を提供することができる。
【図面の簡単な説明】
【図１】図１は、本発明の一実施形態としての使い捨ておむつの着用状態を示す斜視図である。
【図２】図２は、図１に示す使い捨ておむつの展開且つ伸張状態を示す平面図である。
【図３】図３は、図１に示す使い捨ておむつの幅方向の横断面を示す図であり、（ａ）は自然状態における図２のＸ−Ｘ線断面を示す図、（ｂ）は、自然状態（おむつ展開且つ伸張状態も同様）における図２のＹ−Ｙ線断面を示す図である。
【図４】図４は、図１に示す使い捨ておむつの外装体の展開且つ伸張状態を示す平面図である。
【図５】図５は、使い捨ておむつの新規な設計手法を説明するための図であり、（ａ）は、身体形状を転写して得たベースパターンを示す図であり、（ｂ）は、ベースパターンに修正を加えた修正ベースパターンを示す図であり、（ｃ）は、着用者の皮膚の伸縮を考慮し、マスターパターンに修正を加えて得た修正マスターパターンを示す図であり、（ｄ）は、修正マスターパターンに、はかせやすさ（装着しやすさ）等を考慮して修正を加えて得た最終パターンを示す図である。
【図６】図６は、使い捨ておむつの新規な設計手法における計測部位等を示す図である。
【符号の説明】
１    使い捨ておむつ
２    表面シート
３    裏面シート
４    吸収体
５    レッグ開口部
６    ウエスト開口部
１０  吸収性本体
２０  外装体
３０  胴回り弾性伸縮部
３３  背部弾性伸縮部
３６  臀部弾性伸縮部
Ａ    腹側部
Ｂ    背側部
Ｄ    ウエスト部
Ｅ    胴回り部
【図１】
2004236832.tif 000003
【図２】
2004236832.tif 000004
【図３】
2004236832.tif 000005
【図４】
2004236832.tif 000006
【図５】
2004236832.tif 000007
【図６】
2004236832.tif 000008